(57)【要約】【課題】後加工や特殊なインクも必要無く、偽造防止性を発現させるために、設備の必要も無い偽造防止用紙の提供。【解決手段】この課題は、天然パルプを主成分とするパルプ配合で、平均粒径２０μｍ〜１５０μｍのマイカを対パルプ固形分含有量０．５重量％〜１０重量％含有することによって解決される。【選択図】      なし【特許請求の範囲】
【請求項１】
天然パルプを主成分とするパルプ配合で、平均粒径２０μｍ〜１５０μｍのマイカを対パルプ固形分含有量０．５重量％〜１０重量％含有することを特徴とする偽造防止用紙。
【請求項２】
請求項１に記載の偽造防止用紙を製造する方法において、天然パルプを主成分とするパルプに平均粒径２０μｍ〜１５０μｍのマイカを対パルプ固形分含有量０．５重量％〜１０重量％内添し、抄紙したことを特徴とする、上記方法。
【発明の詳細な説明】
【０００１】
【発明の属する技術分野】
本発明は、有価証券、商品券、招待券、入場券、カード券等の金券に使用される偽造防止用紙に関するものである。
【０００２】
【従来の技術】
現在、マイカを使用した偽造防止用紙として、例えば特許文献１では印刷インキにマイカを含有させたものがあるが、偽造防止性を発現させるには印刷を行なうという後工程が必要であり、その上マイカを含有した特殊な印刷インキを使用する必要があるため、コスト増は免れない。
【０００３】
また、特許文献２では波長２８０〜４００ｎｍの紫外線を吸収する合成マイカを、紙に内添もしくは塗工したものがあるが、偽造かどうか確認する為には、上記波長領域の紫外線を照射する必要があり、何らかの設備が必要となる。
【０００４】
【特許文献１】特開平１１−２４５５０１
【０００５】
【特許文献２】特開平０６−０９２０７３
【０００６】
【発明が解決しようとする課題】
本発明は、上記の点に鑑みてなされたもので、後加工や特殊なインクも必要無く、偽造防止性を発現させるために、設備の必要も無い偽造防止用紙を提供するものである。
【０００７】
【課題を解決するための手段】
本発明者らは、前記の課題を解決すべく鋭意研究を行なった結果、マイカを使用した偽造防止用紙として、天然パルプを主成分とするパルプ配合で、平均粒径（遠心沈降式粒度分布測定による）２０μｍ〜１５０μｍのマイカを対パルプ固形分含有量０．５重量％〜１０重量％内添することにより、そのマイカを内添した紙を、紙面と目線がほぼ９０°の真正面の方向より見た場合、キラキラ光ることも無く、着色も無く、見た目には通常の洋紙と何ら変わらない様に見える。
【０００８】
しかし、明るい方向に向かって紙面と目線をほぼ４５°にかざして見ると、マイカがキラキラと輝いて、自分の所で発行した商品券、有価証券、入場券等の金券と一目で確認することができる。
【０００９】
マイカの平均粒径が２０μｍより細かいとほぼ４５°に明るい方向にかざしても、マイカのキラキラ光る状況が発現できないし、１５０μｍより粗いとほぼ９０°の真正面から見ても、マイカの存在が確認できてしまい、偽造防止の役割を果たさなくなる。
【００１０】
また、紙への内添量が対パルプ固形分含有量１０重量％より多いと、ほぼ９０°の真正面から見てもマイカの存在が確認できるし、対パルプ０．５重量％未満であると、ほぼ４５°に明るい方向にかざしても、マイカのキラキラ光る状況が発現できない。
【００１１】
本発明で使用されるパルプの主成分である天然パルプは、例えば広葉樹晒パルプ（Ｌ−ＢＫＰ）、針葉樹晒パルプ（Ｎ−ＢＫＰ）、漂白あるいは未漂白のＮＫＰ（針葉樹クラフトパルプ）やＬＫＰ（広葉樹クラフトパルプ）またはそれらの混合物であり、二次的成分として高歩留りパルプ［ＧＰ（破砕パルプ）、ＴＭＰ（サーモメカニカルパルプ）等、古紙パルプまたは化学漂白パルプ、例えばＥＣＦまたはＴＣＦ漂白を行ったものも混入することができる。特に広葉樹晒パルプ（Ｌ−ＢＫＰ）と針葉樹晒パルプ（Ｎ−ＢＫＰ）との混合パルプが有利である。
【００１２】
本発明の偽造防止用紙は更に天然パルプを主成分とするパルプに平均粒径２０μｍ〜１５０μｍのマイカを対パルプ固形分含有量０．５重量％〜１０重量％内添し、抄紙することによって製造される。この製法は、慣用の偽造防止用紙の製法に比較して著しく簡単である。
【００１３】
本発明により、自分の所で発行した商品券、有価証券、入場券の金券であるかどうか、簡単に一目で確認することができるだけでなく、副次的効果として、機械設備等を使う必要が無い為に、金券使用者に、偽造金券かどうか確認をしていることも悟られず、使用者を不快な気持ちにさせることも無くなる。
【００１４】
また、本発明で偽造防止用紙の製造工程も単純化されること、特殊印刷インキを使う必要が無くなること、偽造かどうかの確認の為の設備が必要無いということで、画期的にコスト負担が低くなる。
【００１５】
以上の様に、本発明により、マイカを使用しても、通常の抄紙のみで、後加工で特殊印刷インキで処理する必要も無く、紫外線照射設備の設置の必要も無い偽造防止用紙を提供できるものである。
【００１６】
【実施例】
実施例１：
広葉樹晒パルプ（Ｌ−ＢＫＰ）と針葉樹晒パルプ（Ｎ−ＢＫＰ）を７０：３０に混合し、叩解機によりＣＳＦ４５０ｍｌとなるように叩解処理した。これらのパルプスラリーに内添薬品としてロジンサイズ剤（商品名：コロパールＥ５Ｎ、星光ＰＭＣ製）を対パルプ固形分含有量０．３重量％添加し、次にマイカ（商品名：クラライトマイカ２００Ｃ、平均粒径８０μｍ、クラレ製）を対パルプ固形分含有量８重量％添加し、次に硫酸バンドを対パルプ固形分含有量０．１重量％添加して、長網抄紙機で抄紙して、坪量１８６ｇ／ｍ２作製し、ほぼ９０°と４５°で目視での、マイカのキラキラした感じの確認を行ない、結果を表１に示した。
【００１７】
実施例２：
実施例１において、マイカの種類に（商品名：クラライトマイカ２００Ｗ、平均粒径１００μｍ、クラレ製）を使い、内添量を対パルプ固形分含有量２重量％とし、それ以外は実施例１と同様に偽造防止用紙を作製して、同様にキラキラ感を目視で確認し、結果を表１に示した。
【００１８】
比較例１：
実施例１において、マイカの種類に（商品名：クラライトマイカ６００Ｗ、平均粒径８μｍ、クラレ製）を使い、それ以外は実施例１と同様に抄紙して偽造防止用紙を作製して同様に、きらきら感を目視で確認し、結果を表１に示した。
【００１９】
比較例２：
実施例１において、マイカの種類に（商品名：クラライトマイカ８０Ｃ、平均粒径２３０μｍ、クラレ製）を使い、それ以外は実施例１と同様に抄紙して偽造防止用紙を作製して、同様に、キラキラ感を確認し、結果を表１に示した。
【００２０】
比較例３：
実施例１において、マイカの内添量を対パルプ固形分含有量２５重量％として、それ以外は実施例１と同様に抄紙して偽造防止用紙を作製して、同様にキラキラ感を目視で確認し、結果を表１に示した。
【００２１】
比較例４：
実施例１おいて、マイカの内添量を対パルプ固形分含有量０．３重量％にして、それ以外は実施例１と同様に抄紙して偽造防止用紙を作製して、同様にキラキラ感を目視で確認して、結果を表１に示した。
【００２２】
比較例５：
市販のＰＰＣ用紙で、実施例１と同様にキラキラ感を目視で確認し、結果を表１に示した。
【００２３】
【表１】
2005015934.tif 000002
＊  ９０°よりの目視でのキラキラ感の判定基準
キラキラ感を目視で感じない場合は○と標記し、
キラキラ感を目視で感じる場合は×と標記した。
【００２４】
＊  ４５°よりの明るい方向にかざしてのキラキラ感の判定基準
キラキラ感を目視で感じない場合は×と標記し、
キラキラ感を目視で感じる場合は○と標記した。
【００２５】
【発明の効果】
表１に示したように、本発明で、一定平均粒径のマイカを一定の添加量で通常の抄紙を行なうだけで、後加工に特殊印刷インクで処理する必要も無く、偽造かどうか確認する為の紫外線照射器のような設備の設置の必要も無い、安価でなお且つ、一目で偽造かどうかを確認できる偽造防止用紙を提供することができた。